【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
カートのための軌道システムであって、
前記カートのための複数の湾曲モジュール式軌道区分であって、前記複数の湾曲モジュール式軌道区分のそれぞれは、
前記軌道システム上の前記カートと係合するように構成される１つ以上のレールと、
前記カートから液体を受容するように構成される１つ以上のリザーバ区分と
を備える、複数の湾曲モジュール式軌道区分
を備え、
複数の湾曲モジュール式軌道のそれぞれは、所定の角度だけ地面に対して傾斜し、その結果、前記１つ以上のリザーバ区分は、前記液体を所定の面積に指向させるように構成される、
軌道システム。
【請求項２】
前記複数の湾曲モジュール式軌道区分のそれぞれは、前記カートのギヤと係合するように構成されるギヤシステムを備える、請求項１に記載の軌道システム。
【請求項３】
前記複数の湾曲モジュール式軌道区分のそれぞれは、電力を前記カートに提供するように構成される導電性部分を備える、請求項１に記載の軌道システム。
【請求項４】
前記複数の湾曲モジュール式軌道区分のそれぞれは、振動デバイスを備える、請求項１に記載の軌道システム。
【請求項５】
前記複数の湾曲モジュール式軌道区分のそれぞれは、別の湾曲モジュール式軌道の接続機構と結合するように構成される接続機構を備える、請求項１に記載の軌道システム。
【請求項６】
前記複数の湾曲モジュール式軌道区分の第１のセットは、前記地面に垂直な第１の軸の周囲に巻着する上昇部分を形成するように結合され、前記上昇部分は、所定の曲率半径を有する、請求項１に記載の軌道システム。
【請求項７】
前記複数の湾曲モジュール式軌道区分の第２のセットは、前記地面に垂直かつ前記第１の軸に平行な第２の軸の周囲に巻着する下降部分を形成するように結合され、前記下降部分は、所定の曲率半径を有する、請求項６に記載の軌道システム。
【請求項８】
複数の直線モジュール式軌道区分であって、前記複数の直線モジュール式軌道区分のそれぞれは、
前記軌道上の前記カートと係合するように構成される１つ以上のレールと、
前記カートから液体を受容するように構成される１つ以上のリザーバ区分と
を備える、複数の直線モジュール式軌道区分
をさらに備える、請求項１に記載の軌道システム。
【請求項９】
前記複数の湾曲モジュール式軌道区分のそれぞれは、１つ以上の場所マーカを含む、請求項１に記載の軌道システム。
【請求項１０】
カートのための軌道を提供するための方法であって、前記方法は、
複数の湾曲モジュール式軌道区分を結合することによって、前記カートのための前記軌道を提供することと、
前記軌道を前記カートと係合させることと、
前記軌道の１つ以上のリザーバ区分によって、前記カートから液体を受容することと、
前記液体を所定の面積に指向させることと
を含み、
複数の湾曲モジュール式軌道のそれぞれは、所定の角度だけ地面に対して傾斜し、その結果、前記１つ以上のリザーバ区分は、前記液体を所定の面積に指向させるように構成される、
方法。
【請求項１１】
前記複数の湾曲モジュール式軌道区分の第１のセットは、前記地面に垂直な第１の軸の周囲に巻着する上昇部分を形成するように結合され、前記上昇部分は、所定の曲率半径を有する、請求項１０に記載の方法。
【請求項１２】
前記複数の湾曲モジュール式軌道区分の第２のセットは、前記地面に垂直かつ前記第１の軸に平行な第２の軸の周囲に巻着する下降部分を形成するように結合され、前記下降部分は、所定の曲率半径を有する、請求項１１に記載の方法。
【請求項１３】
カートのための軌道システムであって、前記軌道システムは、
複数のモジュール式軌道区分であって、前記モジュール式軌道区分のそれぞれは、
前記カートと係合するように構成される１つ以上のレールと、
前記カートのギヤと係合するように構成されるギヤシステムと、
別のモジュール式軌道区分の接続機構と結合するように構成される接続機構と
を備える、複数のモジュール式軌道区分
を備え、
前記複数のモジュール式軌道区分のうちの少なくとも１つは、所定の角度だけ地面に対して傾斜する、
軌道システム。
【請求項１４】
前記モジュール式軌道区分のそれぞれは、前記カートから液体を受容するように構成される１つ以上のリザーバ区分を含む、請求項１３に記載の軌道システム。
【請求項１５】
前記１つ以上のリザーバ区分は、コンベヤベルトまたは振動デバイスのうちの少なくとも１つを含む、請求項１４に記載の軌道システム。
【手続補正２】
【補正対象書類名】明細書
【補正対象項目名】０００７
【補正方法】変更
【補正の内容】
【０００７】
別の実施形態では、カートのための軌道システムは、複数のモジュール式軌道区分を含む。モジュール式軌道区分はそれぞれ、カートと係合するように構成される１つ以上のレールと、カートのギヤと係合するように構成されるギヤシステムと、別のモジュール式軌道区分の接続機構と結合するように構成される接続機構とを含む。複数のモジュール式軌道区分のうちの少なくとも１つは、所定の角度だけ地面に対して傾斜する。
本発明は、例えば、以下を提供する。
（項目１）
カートのための軌道システムであって、
前記カートのための複数の湾曲モジュール式軌道区分であって、前記複数の湾曲モジュール式軌道区分のそれぞれは、
前記軌道システム上のカートと係合するように構成される１つ以上のレールと、
前記カートから液体を受容するように構成される１つ以上のリザーバ区分と
を備える、複数の湾曲モジュール式軌道区分
を備え、
複数の湾曲モジュール式軌道のそれぞれは、所定の角度だけ地面に対して傾斜し、その結果、前記１つ以上のリザーバ区分は、前記液体を所定の面積に指向させるように構成される、
軌道システム。
（項目２）
前記複数の湾曲モジュール式軌道区分のそれぞれは、前記カートのギヤと係合するように構成されるギヤシステムを備える、項目１に記載の軌道システム。
（項目３）
前記ギヤシステムは、前記１つ以上のレールのうちの１つに沿って延在するように構成される、項目２に記載の軌道システム。
（項目４）
前記複数の湾曲モジュール式軌道区分のそれぞれは、電力を前記カートに提供するように構成される導電性部分を備える、項目１に記載の軌道システム。
（項目５）
前記導電性部分は、前記１つ以上のレールに沿って延在するように構成される、項目４に記載の軌道システム。
（項目６）
前記導電性部分は、非導電性部分とともに周期的に区画化される、項目４に記載の軌道システム。
（項目７）
前記複数の湾曲モジュール式軌道区分のそれぞれは、振動デバイスを備える、項目１に記載の軌道システム。
（項目８）
前記複数の湾曲モジュール式軌道区分のそれぞれは、別の湾曲モジュール式軌道の接続機構と結合するように構成される接続機構を備える、項目１に記載の軌道システム。
（項目９）
前記接続機構は、スナップインタブを含む、項目８に記載の軌道システム。
（項目１０）
前記複数の湾曲モジュール式軌道区分の第１のセットは、地面に垂直な第１の軸の周囲に巻着する上昇部分を形成するように結合され、前記上昇部分は、所定の曲率半径を有する、項目１に記載の軌道システム。
（項目１１）
前記複数の湾曲モジュール式軌道区分の第２のセットは、地面に垂直かつ前記第１の軸に平行な第２の軸の周囲に巻着する下降部分を形成するように結合され、前記下降部分は、所定の曲率半径を有する、項目１０に記載の軌道システム。
（項目１２）
１つ以上の照明デバイスまたは１つ以上の給水デバイスをさらに備える、項目１に記載の軌道システム。
（項目１３）
複数の直線モジュール式軌道区分であって、前記複数の湾曲モジュール式軌道区分のそれぞれは、
前記軌道上のカートと係合するように構成される１つ以上のレールと、
前記カートから液体を受容するように構成される１つ以上のリザーバ区分と
を備える、複数の直線モジュール式軌道区分
をさらに備える、項目１に記載の軌道システム。
（項目１４）
前記複数の湾曲モジュール式軌道区分のそれぞれは、１つ以上の場所マーカを含む、項目１に記載の軌道システム。
（項目１５）
カートのための軌道を提供するための方法であって、前記方法は、
複数の湾曲モジュール式軌道区分を結合することによって、前記カートのための軌道を提供することと、
前記軌道を前記カートと係合させることと、
前記軌道の１つ以上のリザーバ区分によって、前記カートから液体を受容することと、
前記液体を所定の面積に指向させることと
を含み、
複数の湾曲モジュール式軌道のそれぞれは、所定の角度だけ地面に対して傾斜し、その結果、前記１つ以上のリザーバ区分は、前記液体を所定の面積に指向させるように構成される、
方法。
（項目１６）
前記複数の湾曲モジュール式軌道区分の第１のセットは、地面に垂直な第１の軸の周囲に巻着する上昇部分を形成するように結合され、前記上昇部分は、所定の曲率半径を有する、項目１５に記載の方法。
（項目１７）
前記複数の湾曲モジュール式軌道区分の第２のセットは、地面に垂直かつ前記第１の軸に平行な第２の軸の周囲に巻着する下降部分を形成するように結合され、前記下降部分は、所定の曲率半径を有する、項目１６に記載の方法。
（項目１８）
カートのための軌道システムであって、前記軌道システムは、
複数のモジュール式軌道区分であって、前記モジュール式軌道区分のそれぞれは、
前記カートと係合するように構成される１つ以上のレールと、
前記カートのギヤと係合するように構成されるギヤシステムと、
別のモジュール式軌道区分の接続機構と結合するように構成される接続機構と
を備える、複数のモジュール式軌道区分
を備え、
前記複数のモジュール式軌道区分のうちの少なくとも１つは、所定の角度だけ地面に対して傾斜する、
軌道システム。
（項目１９）
前記モジュール式軌道区分のそれぞれは、前記カートから液体を受容するように構成される、１つ以上のリザーバ区分を含む、項目１８に記載の軌道システム。
（項目２０）
前記１つ以上のリザーバ区分は、コンベヤベルトまたは振動デバイスのうちの少なくとも１つを含む、項目１９に記載の軌道システム。